(57)【要約】【課題】  フレームロッドにより燃焼異常を検出した際、異常原因が把握でき、故障診断を容易に行うことができる燃焼温風暖房器を提供する。【解決手段】  バーナ４と、このバーナ４に供給する燃料を気化する気化器３と、この気化器３に燃料を供給するポンプ２と、前記バーナ４部に設けら炎電流を検知するフレームロッド８と、ダクト５と、バーナ４及びダクト５に空気を供給する送風機７と、前記ダクト５の温度を検出するダクト温度検出装置１０と、燃焼出力を制御するとともに前記フレームロッド８の検知入力が予め設けた閾値を越えたとき異常と判断しポンプ２を制御して燃焼を停止するように制御する燃焼制御部６と、燃焼制御部６により表示制御される表示部６ｃとを備え、燃焼制御部６は異常時に燃焼を停止したとき、そのときの燃焼出力に応じて予め設定された値とダクト温度検出装置１０の検出値とを比較して異常の原因を特定し、表示部６ｃに表示する。【選択図】  図１
2005257179.tif 000002
【特許請求の範囲】
【請求項１】
燃料を燃焼させるバーナ（４）と、このバーナ（４）に供給する燃料を気化する気化器（３）と、この気化器（３）に燃料を供給するポンプ（２）と、前記バーナ（４）部に設けら炎電流を検知するフレームロッド（８）と、燃焼ガスをガイドするダクト（５）と、バーナ（４）及びダクト（５）に空気を供給する送風機（７）と、前記ダクト（５）の温度を検出するダクト温度検出装置（１０）と、前記ポンプ（２）によりバーナ（４）の燃焼出力を制御するとともに前記フレームロッド（８）の検知入力が予め設けた閾値を越えたとき異常と判断しポンプ（２）を制御して燃焼を停止するように制御する燃焼制御部（６）と、燃焼制御部（６）により表示制御される表示部（６ｃ）とを備え、前記燃焼制御部（６）は異常時に燃焼を停止したとき、そのときの燃焼出力に応じて予め設定された値と前記ダクト温度検出装置（１０）の検出値とを比較して異常の原因を特定し、表示部（６ｃ）に表示するようにしたことを特徴とする燃焼温風暖房器。
【請求項２】
燃焼制御部（６）はフレームロッド（８）の検知入力が予め設定された閾値を一定時間連続して越えた場合、異常と判断することを特徴とする請求項１記載の燃焼温風暖房器。
【請求項３】
燃焼制御部（６）はフレームロッド（８）の検知入力が予め設定された閾値を断続的に越えた場合で、かつダクト温度検出装置（１０）の検出値が予め設定された閾値を越えていれば異常と判断し、異常内容を表示部（６ｃ）に表示するようにしたことを特徴とする請求項１記載の燃焼温風暖房器。
【発明の詳細な説明】
【技術分野】
【０００１】
本発明は、液体燃料を燃焼させて温風を吹き出し、部屋を暖める燃焼温風暖房器に関するものである。
【背景技術】
【０００２】
従来のこの種の燃焼温風暖房器は、図４に示すような構成のものが知られている。すなわち、本体２１内に設けたポンプ２２により液体燃料を気化器２４に送油し、気化した燃料と本体２１の後部に設けた送風機２３からの送風による燃焼用空気をバーナ２５に供給して燃焼させるとともに、バーナ２５の燃焼ガスと送風機２３からの風をダクト２６で混合して温風にし、本体２１の前部から室内に放出して暖房する。
【０００３】
そして、設定温度や、現在の室温、燃焼時間、燃料の残量等の条件から適切な燃焼出力となるように燃焼制御部６によりポンプ２２の送油量と、それに応じた送風量となるように送風機２３とを制御している。
【０００４】
そして、バーナ２５の近傍には燃焼状態を検知するためフレームロッド２７が設けられていて、フレームロッド２７により検出した炎電流値と、予め設けられている燃焼出力毎の閾値とを比較して、一定時間閾値より下回ったことを検出すると異常燃焼と判断し、燃焼を停止するよう燃焼制御部６より出力して燃焼停止動作に移行して、燃焼制御部６に設けられた表示部に異常内容を表示してユーザに知らしめ故障診断を行うことができる。
【０００５】
また、フレームロッドによる炎電流の検出値が異常かどうかを検出し、この異常検出回数が１回であれば酸欠であると判断し、２回であればフレームロッド異常と判断するとともにこの時の燃焼出力が強レベルであればフレームロッドにシリコンが付着したことが原因と判断し、燃焼出力が中レベルであれば燃焼通路先端部のノズルに吐出されない液体燃料が残っていてそれが滴下して生じる黄火が原因と判断し、燃焼レベルが弱レベルであればポンプの目詰まりが原因と判断して夫々異常内容を表示するようにして故障診断を容易に行うことができるようにするものがある（例えば、特許文献１参照）。
【０００６】
【特許文献１】特開２００１−３４９５４０号公報
【発明の開示】
【発明が解決しようとする課題】
【０００７】
しかしながら、上記の従来技術において、前者のもの及び後者のものは、異常燃焼を検出して燃焼を停止するときの表示部で表示する異常内容は、フレームロッドにより検出した炎電流検出値だけにしか依らないものであるため、例えば酸欠状態や、シリコンの付着、燃料油の減少、温風吹き出し口の閉塞、送風機のロック、送風機の吸気口がホコリによる詰まり等いろんな原因で発生する異常燃焼に対し限定した異常内容でしか表示できないものであった。
【０００８】
したがって、例えば送風機の吸気口がホコリにより詰まって、送風機から供給する燃焼用の空気量が不足したことにより異常燃焼（赤火）が発生して燃焼停止した場合、本体の各部はかなりの高温になっており、ユーザは燃焼停止の原因が判らないまま再操作して点火しようとして熱くなっている器体に触ることにより火傷する恐れがあった。
【０００９】
このように、従来のフレームロッドの炎電流検出値だけにしか依らないものでは異常燃焼の発生した原因が特定できにくく、また、表示内容から燃焼停止時の器体の状態が判別しにくいため、適切な対処方法が判らず、再点火操作を行おうとして火傷をする恐れがある等、故障診断が適切に行えないという問題があった。
【課題を解決するための手段】
【００１０】
本発明は上記の問題を解決するためになされたものであり、燃料を燃焼させるバーナと、このバーナに供給する燃料を気化する気化器と、この気化器に燃料を供給するポンプと、前記バーナ部に設けら炎電流を検知するフレームロッドと、燃焼ガスをガイドするダクトと、バーナ及びダクトに空気を供給する送風機と、前記ダクトの温度を検出するダクト温度検出装置と、前記ポンプによりバーナの燃焼出力を制御するとともに前記フレームロッドの検知入力が予め設けた閾値を越えたとき異常と判断しポンプを制御して燃焼を停止するように制御する燃焼制御部と、燃焼制御部により表示制御される表示部とを備え、前記燃焼制御部は異常時に燃焼を停止したとき、そのときの燃焼出力に応じて予め設定された値と前記ダクト温度検出装置の検出値とを比較して異常の原因を特定し、表示部に表示するようにしたものである。
【００１１】
また、燃焼制御部はフレームロッドの検知入力が予め設定された閾値を一定時間連続して越えた場合、異常と判断するものである。
【００１２】
また、燃焼制御部はフレームロッドの検知入力が予め設定された閾値を断続的に越えた場合で、かつダクト温度検出装置の検出値が予め設定された閾値を越えていれば異常と判断し、異常内容を表示部に表示するようにしたものである。
【発明の効果】
【００１３】
本発明の燃焼温風暖房器は、上記のように構成したことにより、請求項１では、フレームロッドの炎電流検出値低下により燃焼を停止した場合、ダクト温度検出装置の温度を燃焼制御部で判定することにより、器体の状態を的確に把握することができ、かつ燃焼停止の原因を特定し、原因別に異なるエラー表示を表示部に表示するようにしたことにより、故障診断を容易に行うことができるとともに、ユーザに対処方法を的確に伝えることができる。
【００１４】
また、請求項２では、正常時にバーナの火炎形成部に生成される火炎が何らかの要因で短時間変動したことにより、フレームロッドにより検出する炎電流値が変動しても誤って燃焼を停止することが無い。
【００１５】
また、請求項３では、本体の温風吹出し口がフトン等で中途半端な状態で閉塞された場合、ダクト温度検出装置の温度が予め設定された範囲値を満たしていなければ異常燃焼と判断し、燃焼を停止することができるとともに、表示部に異常内容を表示するようにしたことにより、ユーザに対処方法を的確に伝えることができる。
【発明を実施するための最良の形態】
【００１６】
以下、本発明の一実施例を図１〜図３を参照して説明する。図１は本発明の燃焼温風暖房器の一実施例を示す側面縦断面図、図２は同じく燃焼制御部のブロック図、図３は同じく燃焼制御部のフローチャートである。
【００１７】
図において、１は燃焼温風暖房器の本体、２は本体１内に設けられたポンプで、液体燃料を供給するものである。
【００１８】
３は気化器で、ポンプ２により供給された液体燃料を気化させる為のものである。
【００１９】
４はバーナで、気化器３で気化した液体燃料をここで燃焼させる。
【００２０】
５はダクトで、バーナ４で燃焼した燃焼ガスと後記する送風機７から供給される室内空気とが混合され温風として本体１の前面より吹き出して室内を暖房する。
【００２１】
６は燃焼制御部で、マイクロコンピュータによる制御回路６ａと、運転／運転停止スイッチの入力や、設定温度、燃焼時間の入力等を行う操作部６ｂと、故障診断を行うための異常内容を表示する表示部６ｃにより構成されていて、設定温度や現在の室温、燃焼時間、液体燃料の残量などの条件から適切な燃焼出力を選択し、それに応じたポンプ２の送油量と送風機７の送風量となるように制御するものである。
【００２２】
７は送風機で、本体１の後部に設けられていて、室内の空気を取り込みバーナ４に燃焼用空気として供給するとともにダクト５にも供給している。
【００２３】
８はフレームロッドで、バーナ４の火炎形成部に生成される火炎中に入れられていて、フレームロッド８の電極間に電圧を印可し、電極間に流れる炎電流の検出値を燃焼制御部６の制御回路６ａに入力し、燃焼状態を検知することができるようにしている。
【００２４】
９は過熱防止装置で、サーモスタットで構成され、ダクト５の壁面に設けられていて、壁面の温度が異常温度に達すると作動して自動的に燃焼を停止させることができる安全装置である。
【００２５】
１０はダクト温度検出装置で、サーミスタで構成され、ダクト５の壁面に設けられていて、壁面の温度を検出し燃焼制御部６の制御回路６ａに信号を入力している。
【００２６】
次に、以上の構成による作用を図３の燃焼制御部６のフローチャートにより説明する。まず、３０１で操作部６ｂの運転スイッチをオンにすることで燃焼が開始され、直ちに３０２でフレームロッド８による炎電流の検出を開始する。
【００２７】
そして、３０３では、燃焼出力毎に予め設定されている炎電流の閾値と３０２で検出した炎電流値とを比較し、炎電流値が閾値を下回らなければ正常燃焼と判断し、３０４で通常の運転を継続しタイマーアップ又は操作部６ｂの運転停止スイッチを押さない限り運転を継続する。
【００２８】
３０２で検出した炎電流値が３０３、３０５で連続ｔ秒以上閾値を下回ったことを検出すると、３０６で、バーナ４での燃焼を停止するためポンプ２の動作を停止させて緊急消火する。このように連続ｔ秒以上閾値を下回った値が得られたことで判断するようにしたことにより、正常時にバーナ４の火炎形成部に生成される火炎が何らかの要因で短時間変動してフレームロッド８により検出する炎電流値が変動しても誤って緊急消火することが無い。
【００２９】
この時、燃焼停止直前の燃焼出力とダクト温度検出装置１０の検出温度を取り込み、燃焼出力の強、中、弱ごとに予め設定されている閾値である異常判定温度Ｔａ、Ｔｂ、Ｔｃと、ダクト温度検出装置１０の検出温度とを比較するため、３０７で、ダクト温度検出装置１０の温度が異常判定温度Ｔａを超えているかを判定し、超えている場合は送風機７の吸気口がホコリにより詰まったり、送風機７のファンがロックしたことが原因で、器体が熱くなって停止していると判断し、３０８で、表示部６ｃにエラー表示”Ａ”を表示するように表示制御している。
【００３０】
３０７で、ダクト温度検出装置１０の温度が異常判定温度Ｔａを超えていない場合は、３０９で、ダクト温度検出装置１０の温度が異常判定温度Ｔｂを下回っているかを判定し、下回っている場合は、燃料油の送油量が少なくなった故障であると判断し、３１０で、表示部６ｃにエラー表示”Ｂ”を表示する。
【００３１】
３０９で、ダクト温度検出装置１０の温度が異常判定温度Ｔｂを下回っていない場合は、ダクト温度検出装置１０の温度は正常温度範囲内であるので、正常燃焼状態においてシリコン等がフレームロッド８に付着したため、フレームロッド８が正常に炎電流を検出できなかったと判断し、３１１で、表示部６ｃにエラー表示”Ｃ”を表示する。
【００３２】
次に、本体１の温風吹出し口がフトン等で中途半端な状態で閉塞された場合、通常は送風機７の送風量の減少にともなって、バーナ４への燃焼用空気の送風量が減少するため異常燃焼が発生し、この異常燃焼をフレームロッド８の炎電流値で検出して燃焼制御部６により緊急消火するか、又はダクト５に設けられた過熱防止装置９が作動して緊急消火するが、温風吹出し口の閉塞度合いによっては、いずれも作動しない場合がある。この時のフレームロッド８の炎電流検出値は閾値をｔ秒以内で断続的に下回る状態になるので、このような状態が発生した場合３１２で、ダクト温度検出装置１０の温度がＴｃを上回っていれば異常と判断し、３１３でバーナ４での燃焼を停止するためポンプ２の動作を停止させて緊急消火し、３１４で、表示部６ｃにエラー表示“Ｄ”を表示する。
【００３３】
３１２で、ダクト温度検出装置１０の温度がＴｃを下回っていれば正常燃焼と判断し、３０４で、通常の運転を継続しタイマーアップ又は操作部６ｂの運転停止スイッチを押さない限り運転を継続する。
【００３４】
このように、フレームロッド８の炎電流検出値低下により燃焼を停止した場合、ダクト温度検出装置１０の温度を燃焼制御部６で判定することにより、器体の状態を的確に把握することができ、かつ燃焼停止の原因を特定し、原因別に異なるエラー表示を表示部６ｃに表示するようにしたことにより、故障診断を容易に行うことができるとともに、ユーザに対処方法を的確に伝えることができる。
【００３５】
また、本体１の温風吹出し口がフトン等で中途半端な状態で閉塞された場合、ダクト温度検出装置１０の温度が予め設定された範囲値を満たしていなければ異常燃焼と判断し、燃焼を停止することができるとともに、表示部６ｃに異常内容を表示するようにしたことにより、ユーザに対処方法を的確に伝えることができる。
【図面の簡単な説明】
【００３６】
【図１】本発明の燃焼温風暖房器の一実施例を示す側面縦断面図である。
【図２】同じく燃焼制御部のブロック図である。
【図３】同じく燃焼制御部のフローチャートである。
【図４】従来例の燃焼温風暖房器の側面縦断面図を示す。
【符号の説明】
【００３７】
４    バーナ
５    ダクト
６    燃焼制御部
６ｃ  異常内容表示部
７    送風機
８    フレームロッド
１０  ダクト温度検出装置
【図１】
2005257179.tif 000003
【図２】
2005257179.tif 000004
【図３】
2005257179.tif 000005
【図４】
2005257179.tif 000006